(57)【特許請求の範囲】
【請求項１】
モニター部をカメラ本体にヒンジ機構によって開閉自在に取り付けたビデオカメラにおいて、
上記ヒンジ機構の内部を挿通して上記モニター部と上記カメラ本体内部の制御部との間を電気的に接続した接続手段と、
上記ヒンジ機構に内蔵され、上記モニター部の画面のＯＮ−ＯＦＦを行うモニター部開閉検出スイッチと、
上記ヒンジ機構に回転自在に取り付けられて上記接続手段を外部から覆い、開閉される上記モニター部で回転駆動されて上記モニター部開閉検出スイッチをＯＮ−ＯＦＦ操作する目隠し部材とを備えた
ことを特徴とするビデオカメラ。
【発明の詳細な説明】
【０００１】
【発明の属する技術分野】
本発明は、例えばビデオカメラレコーダ等に適用すのに最適な撮像装置であって、特に、モニター部の開閉検出スイッチの動作機構に関する技術分野に属するものである。
【０００２】
【従来の技術】
近年の一般的な小型ビデオカメラレコーダには、モニター部である液晶モニター部をカメラ本体の側面に開閉自在に取り付けたものが多い。
その際、従来は、図１５に示すように、ビデオカメラレコーダ１０１のカメラ本体１０２の側面１０２ａに液晶モニター部１０３をヒンジ機構１０４によって矢印ｇ、ｈ方向に開閉自在に取り付けていて、その液晶モニター部１０３の矢印ｇ、ｈ方向の開閉を検出して、モニター画面である液晶画面１０３ａのＯＮ−ＯＦＦを行うモニター部開閉検出スイッチ１０５がカメラ本体１０２に取り付けられている。
【０００３】
そして、従来は、図１５に示すように、モニター部開閉検出スイッチ１０５をカメラ本体１０２の側面１０２ａの内側に取り付け部１０５によって取り付け、そのモニター部開閉検出スイッチ１０５のアクチュエータ１０５ａを側面１０２ａに形成し検出穴１０７内に挿入して配置する一方、その検出穴１０７内のアクチュエータ１０５を操作するための小突起１０８を液晶モニター部１０３の合成樹脂製の外周カバー部材１０９の内側面（液晶画面１０３ａ側の面）の先端部分に直角状に突設させた状態に一体成形している。
【０００４】
そして、図１５に実線で示すように、液晶モニター部１０３を矢印ｈ方向に閉じた時に、小突起１０８を検出穴１０７内に挿入して、その小突起１０８でモニター部開閉検出スイッチ１０５のアクチュエータ１０５ａを押してそのモニター部開閉検出スイッチ１０５をＯＦＦして、液晶画面１０３ａをＯＦＦ（画面消灯）する。そして、図１５に一点鎖線で示すように、液晶モニター部１０３を矢印ｇ方向にほぼ９０°開くことによって、小突起１０８を検出穴１０７から抜き取って、モニター部開閉検出スイッチ１０５をＯＮして、液晶画面１０３ａをＯＮ（画面点灯）するように構成していた。
【０００５】
【発明が解決しようとする課題】
しかし、従来のように、モニター部開閉検出スイッチ１０５のアクチュエータ１０５ａをカメラ本体１０２の側面１０２ａに形成した検出穴１０７内に挿入して配置し、液晶モニター部１０３の合成樹脂製の外周カバー部材１０９の内側面に直角状に突設させた状態に一体成形した小突起１０８を検出穴１０７内に挿入して、モニター部開閉検出スイッチ１０５のアクチュエータ１０５ａを押すようにした構造では、その小突起１０８の強度が弱く、カメラ本体１０２や液晶モニター部１０３等が強い衝撃を受けた場合に、その小突起１０８が簡単に破損されてしまい易かった。
【０００６】
また、小突起１０８を液晶モニター部１０３の外周カバー部材１０９の内側面に直角状に突設た構造では、液晶モニター部１０３を開いた時に、その小突起１０８が外部に露呈して、外観上の美感を著しく損なってしまうばかりか、その小突起１０８はカメラ本体１０２の外部の他物等に軽く当接しただけでも簡単に破損してしまう等、耐久性にも問題があった。更に、カメラ本体１０２の側面１０２ａに形成した検出穴１０７内にモニター部開閉検出スイッチ１０５のアクチュエータ１０５ａを挿入して配置させる構造では、その検出穴１０７からカメラ本体１０２内にダスト等が侵入し易く、防塵性にも問題があった。
【０００７】
本発明は、上記の問題を解決するためになされたものであって、モニター部開閉検出スイッチの動作機構の高信頼性や外観上の美観の向上等を実現することができる撮像装置を提供することを目的としている。
【０００８】
【課題を解決するための手段】
上記の目的を達成するための本発明のビデオカメラレコーダは、モニター部をカメラ本体にヒンジ機構によって開閉自在に取り付けたビデオカメラにおいて、
上記ヒンジ機構の内部を挿通して上記モニター部と上記カメラ本体内部の制御部との間を電気的に接続した接続手段と、上記ヒンジ機構に内蔵され、上記モニター部の画面のＯＮ−ＯＦＦを行うモニター部開閉検出スイッチと、上記ヒンジ機構に回転自在に取り付けられて上記接続手段を外部から覆い、開閉される上記モニター部で回転駆動されて上記モニター部開閉検出スイッチをＯＮ−ＯＦＦ操作する目隠し部材とを備えたものである。
【０００９】
上記のように構成された本発明のビデオカメラは、モニター部をカメラ本体にヒンジ機構によって開閉自在に取り付けたビデオカメラにおいて、モニター部の開閉を検出してモニター画面のＯＮ−ＯＦＦを行うモニター部開閉検出スイッチをそのモニター部のヒンジ機構に内蔵し、そのヒンジ機構の内部に挿通されてモニター部とカメラ本体内部の制御部との間を電気的に接続する接続手段をそのヒンジ機構に回転自在に取り付けた目隠し部材で覆うと共に、モニター部の開閉時に、そのモニター部で目隠し部材を回転駆動して、その目隠し部材でモニター部開閉検出スイッチをＯＮ−ＯＦＦ操作するようにしたので、接続手段が外部から見えず、外観上の美観を著しく向上することができる上に、その目隠し部材でモニター部開閉検出スイッチの動作部材を兼用させることができて、部品点数及び組立工数の削減によるコストダウンを実現することができる。
【００１０】
【発明の実施の形態】
以下、本発明を適用した撮像装置としてのビデオカメラレコーダの実施の形態を図１〜図１４を参照して以下の順序で説明する。
（１）・・・モニター部開閉検出スイッチの動作機構に関する説明
（２）・・・ビデオカメラレコーダ全体に関する説明
【００１１】
（１）・・・モニター部開閉検出スイッチの動作機構に関する説明
まず、図１〜図６によって、ビデオカメラレコーダのモニター部開閉検出スイッチの動作機構に関して説明すると、後述するように、ビデオカメラレコーダ１のカメラ本体２の左側面２ｂに表示部としてのモニター部である液晶モニター部１０がヒンジ部としての２軸ヒンジ機構（直交する２軸を中心に２方向に回転可能なヒンジ機構）２５によって開閉自在に取り付けられている。
【００１２】
そして、この２軸ヒンジ機構２５は、カメラ本体２内に垂直状に固定されているモニター取付フレーム７１と、そのモニター取付フレーム７１内に垂直状に取り付けられた第１支軸７２と、モニター取付フレーム７１内でその第１支軸７２の外周に水平方向である矢印ｇ、ｈ方向にほぼ９０°に回転自在に取り付けられたヒンジブロック７３と、そのヒンジブロック７３の側面で第１支軸７２のほぼ中間部相当位置に水平状に取り付けられた中空状の第２支軸７４とによって構成されている。そして、液晶モニター部１０がヒンジブロック７３の側面で、第２支軸７４の外周に垂直方向である矢印ｉ、ｊ方向にほぼ１８０°に回転自在に取り付けられている。従って、第１支軸７２と第２支軸７４とによって直交する２軸が構成されていて、液晶モニター部１０はこれら第１支軸７２と第２支軸７４を中心に直交する２方向に回転できるように構成されている。
【００１３】
そして、この液晶モニター部１０と後述する制御部９の主制御基板９ａとの間を電気的に接続するための接続手段であるハーネス７５が長さに余裕を持たせた状態で２軸ヒンジ機構２５の内部空間７６に挿通されて配線されている。なお、そのハーネス７５はモニター取付フレーム７１の内部、ヒンジブロック７３の内部及び中空状の第２支軸７４の内部を挿通するようにして液晶モニター部１０と主制御基板９ａとの間に配線されている。
【００１４】
この際、モニター取付フレーム７１の上下及び外周の一部が合成樹脂等によって成形されているカメラ本体２の左側面２ｂに一体成形されたカバー部分２ｂ′で覆われていて、そのカバー部分２ｂ′にはヒンジブロック７３を内部空間７６内で、第１の支軸７２の回りに矢印ｇ、ｈ方向にほぼ９０°に回転可能にするための内側開口７６ａ及び外側開口７６ｂがその内部空間７６の矢印ｇ、ｈ方向の両側位置に垂直状に開口されている。
従って、図１、図３及び図６に実線で示すように、液晶モニター部１０を矢印ｈ方向に閉じて、後述する凹所５０内に収納した時には、２軸ヒンジ機構２５の内部空間７６の内側開口７６ａ及び外側開口７６ｂの両方がヒンジブロック７３によって閉塞されるが、図２に実線で示し、図３に一点鎖線で示と共に、図４及び図５に示すように、液晶モニター部１０を矢印ｇ方向に開いた時には、内部空間７６の外側開口７６ｂはヒンジブロック７３で継続して閉塞されるものの、内側開口７６ａは大きく開放されて、内部空間７６に挿通されているハーネス７５がその内側開口７６ａを通して外部から見えてしまうことになる。
【００１５】
そこで、このビデオカメラレコーダ１では、まず、液晶モニター部１０の矢印ｇ、ｈ方向の開閉を検出してモニター画面である液晶画面１０ａをＯＮＮ−ＯＦＦする検出部であるモニター部開閉検出スイッチ７７を２軸ヒンジ機構２５に内蔵し、次に、内部空間７６の内側開口７６ａを閉塞することによって、ハーネス７５を外部から見えないように隠蔽（目隠しすること）するようにした目隠し部材であるハーネスカバー７９でそのモニター部開閉検出スイッチ７７をＯＮ−ＯＦＦ動作させるように構成している。
【００１６】
即ち、モニター取付フレーム７１のカメラ本体２の左側面２ｂと平行なの垂直状の側面７１ａにモニター部開閉検出スイッチ７７をスイッチ取付部７８によって取り付けて、そのモニター部開閉検出スイッチ７７のアクチュエータ７７ａを内部空間７６内にそのその側面７１ａに対して直角状に突出させている。そして、モニター部開閉検出スイッチ７７のアクチュエータ７７ａの動作部材(制御部)を兼用する縦長のハーネスカバー７９をモニター取付フレーム７１の内部空間７６で、垂直状の内側開口７６ａを開閉できる位置に垂直状の支点ピン８０を介して水平方向である矢印ｕ、ｖ方向にほぼ９０°に回転自在に取り付けて、そのハーネスカバー７９を回転付勢手段である捩りコイルバネ８０でその内側開口７６ａの閉塞位置まで矢印ｖ方向へ回転付勢させている。
【００１７】
以上のように構成されたモニター部開閉検出スイッチ７７の動作機構によれば、まず、図１、図３及び、図６に示すように、液晶モニター部１０が矢印ｈ方向に閉じられて、カメラ本体２の左側面２ｂの凹所５０内に収納されると、ヒンジブロック７３がハーネスカバー７９に当接して、そのハーネスカバー７９を支点ピン８０を中心に捩りコイルバネ８１に抗して図３に一点鎖線で示す閉蓋位置から実線で示す開蓋位置まで矢印ｕ方向へ押し込むようにほぼ９０°に回転駆動する。そして、液晶モニター部１０が凹所５０内に完全に収納されて、後述するようにその凹所５０内にロックされる直前に、図３実線で示すように、そのハーネスカバー７９がモニター部開閉検出スイッチ７７のアクチュエータ７７ａを矢印ｕ′方向へ押して、そのモニター部開閉検出スイッチ７７がＯＦＦされて、液晶モニター部１０の液晶画面１０ａがＯＦＦ（画面消灯）される。
【００１８】
一方、図２に実線で示し、図３に一点鎖線で示すと共に、図４及び図５に示すように、液晶モニター部１０が矢印ｇ方向にほぼ９０°に開かれると、ヒンジブロック７３の矢印ｇ方向への回転に追従して、ハーネスカバー７９が支点ピン８０を中心に捩りコイルバネ８１によって図３に実線で示す開蓋位置から一点鎖線で示す閉蓋位置まで矢印ｖ方向にほぼ９０°に回転して開く。すると、モニター部開閉検出スイッチ７７のアクチュエータ７７ａが矢印ｖ′方向に押し出されて、そのモニター部開閉検出スイッチ７７が自動的にＯＮされ、液晶モニター部１０の液晶画面１０ａがＯＮ（画面点灯）されることになる。
【００１９】
しかも、その閉蓋位置まで矢印ｖ方向へ回転されたハーネスカバー７９は、図４及び図５に示すように、２軸ヒンジ機構２５の内部空間７６の内側開口７６ａを内側から閉塞して、内部空間７６に挿通されているハーネス７５が外部から見えないように、そのハーネスカバー７９がハーネス７５を隠蔽（目隠しすること）することになる。
【００２０】
従って、このモニター部開閉検出スイッチ７７の動作機構によれば、モニター部開閉検出スイッチ７７が２軸ヒンジ機構２５に内蔵されていて、液晶モニター部１０の開閉を問わず、そのモニター部開閉検出スイッチ７７の強度的に最も弱いアクチュエータ７７ａがカメラ本体２の外部に全く露呈されていないので、そのアクチュエータ７７ａがカメラ本体の外部の他物と不用意に接触して破損される危険が全くない。しかも、液晶モニター部１０の開閉動作に追従して開閉されるハーネスカバー７９でモニター部開閉検出スイッチ７７のアクチュエータ７７ａをＯＮ−ＯＦＦ動作させるので、モニター部開閉検出スイッチ７７を安全に、かつ、無理なく、軽快にＯＮ−ＯＦＦ動作することができて、製品としての信頼性が高く、高耐久性を実現できる。
また、液晶モニター部１０をカメラ本体２から開いた時に、２軸ヒンジ機構２５の内部に挿通されているハーネス７５を外部から見えないようにハーネスカバー７９で隠蔽することができるので、外観上の美観を損なうことがなく、その美観を著しく向上することができる。
更に、モニター部開閉検出スイッチ７７の動作部材をハーネスカバー７９で兼用させることができるので、部品点数及び組立工数の削減によるコストダウンを実現できる。
【００２１】
（２）・・・ビデオカメラレコーダ全体に関する説明
次に、図７〜図１４によって、このビデオカメラの一例であるビデオカメラレーダ１全体に関して説明すると、このビデオカメラレコーダ１は後述するカード型記録再生装置１４を内蔵した縦形のビデオカメラレコーダに構成されている。そして、このビデオカメラレコーダ１は合成樹脂等で成形された縦形のカメラ本体２を有していて、そのカメラ本体２内の上部にはレンズ３及び固体撮像素子（ＣＣＤ）を有する撮像部である撮影部４とビューファインダー部５とが前後に並べられてほぼ同一の光軸Ｐ１上に水平に配置されている。なお、撮影部４はレンズ３及び固体撮像素子によって撮影対象となる被写体を撮影して画像信号を生成するものであり、ビューファインダー部５は撮影部４で撮影された画像やのこビデオカメラレコーダ１の動作モード等を表示する液晶表示部に構成されている。そして、そのカメラ本体２内で撮影部４とビューファインダー部５の下部にメカデッキ部６が光軸Ｐ１と平行で垂直状に配置されていて、このメカデッキ部６には主記録媒体を構成しているテープ状記録媒体であるビデオカセット７内のビデオテープに画像データ等を記録、再生する記録部としての記録再生部が備えられている。そして、そのビデオカセット７を脱着するためのカセットカバー８がカメラ本体２の右側面（但し、ビデオカメラレコーダ１を後方から見た状態での右側面である）２ａに右横方向に開閉自在に取り付けられている。そのカセットカバー８は平面形状がほぼＬ型に形成されていて、そのカセットカバー８の右側面８ａ及び左側面８ｃがカメラ本体２の右側面２ａ及後面２ｃの一部に兼用されている。
【００２２】
そして、カメラ本体２の左側面２ｂ（同様に、ビデオカメラレコーダ１を後方から見た状態での左側面である）の内側でメカデッキ部６との間に制御部９が光軸Ｐ１と平行で垂直状に配置され、そのカメラ本体２の左側面２ｂの外側にモニター部である液晶モニター部１０が光軸Ｐ１と平行で垂直状に配置されていて、その液晶モニター部１０は左横方向に開閉自在に取り付けられている。なお、液晶モニター部１０は撮影部４によって撮影される画像やビデオテープの再生画像等を表示するものである。そして、カメラ本体２の左側面２ｂの外側における後面２ｃ側に偏位された位置で液晶モニター部１０の下部にバッテリー部であるバッテリー装着部１１が配置されていて、そのバッテリー装着部１１に携帯用の電源であるバッテリー１２が交換可能に装着されている。そして、この制御部９は主制御回路が実装された大型の基板である主制御基板９ａと副制御回路が実装された小型の基板である副制御基板９ｂとで構成されていて、主制御基板９ａがカメラ本体２の左側面２ｂの内側でメカデッキ部６との間に光軸Ｐ１と平行で垂直状に配置されていて、副制御基板９ｂはカメラ本体２の前面２ｄの内側でメカデッキ部６との間に光軸Ｐ１に対し直角な垂直状に配置されている。
【００２３】
そして、カード型記録媒体１３に画像データ等を記録、再生するカード型記録再生装置１４がカメラ本体２の左側面２ｂの内側で、撮影部４及びビューファインダー部５の下部位置における制御部９の主制御基板９ａと液晶モニター部１０とバッテリー装着部１１との間で囲まれたデッドスペースである空間１５内に光軸Ｐ１と平行で垂直状に配置されている。そして、カメラ本体２の後面２ｃの左端に垂直状に形成されたカード型記録媒体挿入口１６からカード型記録媒体１３をそのカード型記録再生装置１４内に挿入して装着し、そのビデオカメラレコーダ１で撮影した動画の静止画データ等をカード型記録再生装置１４によってカード型記録媒体１３に記録、再生することができるようにしたものである。そして、カード型記録媒体２３には電子回路が内蔵されていて、その先端１３ａ側の一側面には接続用端子１３ｂと誤消去防止スイッチ１３ｃ等が設けられている。なお、制御部９は撮影部４から入力される画像情報を処理してビューファインダー部５や液晶モニター部１０に入力して表示させたり、メカデッキ部６におけるビデオテープの走行制御や画像の記録、再生動作に関する制御を行ったり、ビデオテープの再生画像等を液晶モニター部１０に表示させたり、ビデオテープの再生画像中から希望する静止画データをカード型記録再生装置１４によってカード型記録媒体１３に記録、再生する等の制御を行うものである。
【００２４】
ところで、図１２に示すように、カセットカバー８はその右側面８ａの前端部側に配置されたヒンジ機構２１によってカメラ本体２の右側面２ａの前端部側に右横方向である矢印ａ、ｂ方向に開閉自在に取り付けられていて、カメラ本体２内のメカデッキ部６の右側面側にはビデオカセット７のビデオテープに撮影画像である動画等を記録、再生するための記録再生部（ビデオテープの走行駆動系やビデオテープにヘリカルスキャン方式でデータを記録、再生する磁気ヘッドドラム等を含んでいる）２２が搭載されている。そして、カセットカバー８の内側にはビデオカセット７を記録再生部２２に矢印ｃ、ｄ方向から脱着するためのカセット脱着機構２３が組み込まれている。そして、ビデオカセット７を記録再生部２２に装着する時には、カセットカバー８の後面８ｃに取り付けられているカセット取り出しつまみ２４をスライド操作してカセットカバー８のロックを解除し、カセットカバー８をヒンジ機構２１によって矢印ａ方向に開くと共に、カセット脱着機構２３を矢印ｃ方向に引き出す。そして、ビデオカセット７をカセット脱着機構２３内に矢印ｅ方向から挿入して、そのカセット脱着機構２３によってビデオカセット７を記録再生部２２に矢印ｄ方向から装着し、最後に、カセットカバー８を矢印ｂ方向に閉じて、カセット取り出しつまみ２４でカメラ本体２に再びロックする。なお、ビデオカセット７を記録再生部２２から取り出す時には、その逆に、カセットカバー８を矢印ａ方向に開いて、カセット脱着機構２３によってビデオカセット７を記録再生部２２から矢印ｃ方向に引き出した後に、そのカセット脱着機構２３内からビデオカセット７を矢印ｆ方向に抜き取る。
【００２５】
また、図７〜図１２に示すように、液晶モニター部１０はその前端部側に配置された２軸ヒンジ機構（直交する２軸を中心に２方向に回転可能なヒンジ機構）２５によってカメラ本体２の左側面２ｂの前端部側に左横方向である矢印ｇ、ｈ方向にほぼ９０°開閉自在であると共に、上下方向である矢印ｉ、ｊ方向にほぼ１８０°回転自在に取り付けられている。そして、その液晶モニター部１０の後端部に取り付けられているオープンボタン２６を押してロックを解除することによって、その液晶モニター部１０を矢印ｇ方向に開き、かつ、矢印ｉ、ｊ方向に回転することができるように構成されている。
また、バッテリー１２はバッテリー装着部１１に対してほぼＬ型の方向である矢印ｍ、ｎ方向に脱着可能に装着されていて、カメラ本体２の後面２ｃにはそのバッテリー１２を脱着するためのバッテリー取り外しボタン２７が取り付けられている。
【００２６】
また、カメラ本体２の左側面２ｂで、バッテリー装着部１１の下部には端子カバー２８が配置されていて、その端子カバー２８内にはバッテリー１２の充電時に使用されるＤＣ端子等が内蔵されている。そして、端子カバー２８はその前端部側に配置されたヒンジ機構によってカメラ本体１の左側面２ｂに矢印ｏ、ｐ方向に開閉自在に取り付けられている。
【００２７】
そして、図７、図８、図１１、図１３及び図１４に示すように、カード型記録再生装置１４のケース（外筐）が合成樹脂等によって成形されたベース部材３１と、合成樹脂やステンレス板等の複合部材で構成されたカバー部材で構成されている。そして、これらベース部材３１及びカバー部材３２は縦断面形状が互いに逆向きのコ字状に形成されていて、カバー部材３２の上下寸法がベース部材３１の上下寸法よりやや小さく構成されている。そして、ベース部材３１内の左側面でやや下方に偏位された位置にカバー部材３２が結合されて、これらベース部材３１とカバー部材３２との間に光軸Ｐ１と平行で、かつ、垂直状のカード型記録媒体挿入空間３３が形成されている。そして、ベース部材３１の外周部分が複数の止ネジ３４によって制御部９の主制御基板９ａの左側面に平行状に直接取り付けれれている。
【００２８】
そして、このカード型記録再生装置１４のカード型記録媒体挿入空間３３の後端部３３ａがカメラ本体２の後面２ｃに形成されているカード型記録媒体挿入口１６に対向されていて、カード型記録媒体１３がそのカード型記録媒体挿入口１６からカード型記録媒体挿入空間３３内に前後方向である矢印ｑ、ｒ方向から挿入、排出自在に構成されている。そして、そのカード型記録媒体挿入空間３３の前端部３３ｂ内で、ベース部材３１の内面（左側面）に接続用端子３４が取り付けられていて、その接続用端子３４が電気的接続手段であるフレキシブルプリント基板３５によって主制御基板９ａに最短距離で電気的に接続されている。なお、カード型記録媒体挿入口１６を内側から開閉する内開き方式の開閉蓋３６がベース部材３１の端部に垂直状の支点ピン３７を介して水平方向に回転自在に取り付けられていて、この開閉蓋３６はその支点ピン３７の外周に取り付けられた回転付勢手段である捩りコイルバネ３８によってカード型記録媒体挿入口１６の閉蓋位置へ回転付勢されている。
【００２９】
そして、カバー部材３２の後端部の上部で、ベース部材３１の後端部の下部にカード型記録媒体取り出しボタン３９が矢印ｑ、ｒ方向にスライド自在に取り付けられていて、そのカード型記録媒体取り出しボタン３９がカメラ本体２の後面２ｃの後方に突出されている。なお、このカード型記録媒体取り出しボタン３９はスライ付勢手段である圧縮コイルバネ４０によって後方側である矢印ｒ方向にスライド付勢されている。
そして、このカード型記録媒体取り出しボタン３９によって動作されるカード型記録媒体排出機構４１がベース部材３１及びカバー部材３２に取り付けられている。そして、そのカード型記録媒体排出機構４１は、ベース部材３１とカバー部材３２の上辺部分間の隙間４２内に水平状に取り付けられて矢印ｑ、ｒ方向にスライド自在に構成されたスライド部材４３と、カバー部材３２の外側で矢印ｑ方向側の端部に支点ピン４４を中心に矢印ｓ、ｔ方向に回転自在に取り付けられた回転部材４５と、カバー部材３２の外側で回転部材４５の矢印ｒ方向側に隣接して取り付けれて矢印ｑ、ｒ方向に平行移動されるように構成された排出部材４６とによって構成されている。なお、スライド部材４３はカバー部材３２との間に取り付けられたスライド付勢手段である引張りコイルバネ４７によって矢印ｒ方向にスライド付勢されている。
【００３０】
そして、カード型記録媒体１３のカード型記録再生装置１４内への装着時には、カード型記録媒体１３をその先端１３ａ側からカード型記録媒体挿入口１６に矢印ｑ方向から挿入して、そのカード型記録媒体１３で開閉蓋３６を捩りコイルバネ３８に抗して矢印ｑ方向に押し開きながら、そのカード型記録媒体１３をカード型記録媒体挿入空間３３内に矢印ｑ方向に挿入する。
そして、図１４に実線で示すように、そのカード型記録媒体１３が挿入完了位置まで挿入された時に、そのカード型記録媒体１３の接続用端子１３ｂがベース部材３１の接続用端子３４に圧着されて接続され、そのカード型記録媒体１３がフレキシブルプリント基板３５を介して主制御基板９ａに電気的に接続される。一方、そのカード型記録媒体１３の挿入完了の直前に、そのカード型記録媒体１３の先端１３ａが排出部材４６の上下一対の突起４６ａに当接して、その排出部材４６を矢印ｑ方向に平行移動させて、その排出部材４６の上下方向のほぼ中間部の突起４６ｂが回転部材４５の支点ピン４４より下部にある突起４５ａを矢印ｑ方向へ押し、その回転部材４５が矢印ｓ方向へ回転される。
【００３１】
そして、このようにしてカード型記録再生装置１４内にカード型記録媒体１３を装着して置くことにより、撮影部４で撮影される撮影画像中の静止画データ等をカード型記録媒体１３に記録、再生することができる。
そして、そのカード型記録媒体１３への記録、再生後にそのカード型記録媒体１３をカード型記録再生装置１４から排出する時には、図１４に一点鎖線で示すように、カード型記録媒体取り出しボタン３９を圧縮コイルバネ４０に抗して矢印ｑ方向に押す。すると、そのカード型記録媒体取り出しボタン３９の突起３９ａがスライド部材４３の矢印ｒ方向側の端部の突起４３ａを押して、そのスライド日材４３が引張りコイルバネ４７に抗して矢験ｑ方向にスライドされて、そのスライド部材４３の矢印ｑ方向側の端部の突起４３ｂが回転部材４５の支点ピン４４より上側の突起４５ｂを矢印ｑ方向に押す。すると、その回転部材４５が支点ピン４４を中心に矢印ｔ方向に回転されて、その回転部材４５の支点ピン４４より下側の突起４５ａが排出部材４６の上下方向のほぼ中間部の突起４６ｂを矢印ｒ方向に押して、その排出部材４６が矢印ｒ方向へ平行移動される。すると、その排出部材４６の上下一対の突起４６ａによってカード型記録媒体１３の先端１３ａが押されて、そのカード型記録媒体１３がカード型記録媒体挿入空間３３内からカード型記録媒体挿入口１６外へ矢印ｒ方向に排出される。従って、この排出後に、カード型記録媒体１３を指で摘んでカード型記録媒体挿入口１６から矢印ｒ方向へ抜き取ることができる。そして、カード型記録媒体１３をカード型記録媒体挿入口１６から抜き取ると、開閉蓋３６が捩りコイルバネ３６によって矢印ｒ方向へ回転してカード型記録媒体挿入口１６を内側から閉塞して、カード型記録再生装置１４内へのダスト等の侵入を防止することができる。
【００３２】
ところで、図１４に示すように、このカード型記録再生装置１４のカバー部材３２には、カード型記録媒体挿入空間３３内に装填されたカード型記録媒体１３を外部から確認できるようにするための大きな窓穴４８が開口されていて、図７に示すように、その窓穴４８の左外側に重なるように配置させた窓穴４９がカメラ本体２の左側面２ｂに開口されている。その際、カメラ本体２の左側面２ｂでバッテリー装着部１１の上部に液晶モニター部１０を収納するための凹所５０が形成されていて、その凹所５０の底面部に上記窓穴４９が形成されている。
【００３３】
従って、図９〜図１１に示すように、液晶モニター部１０を凹所５０内に収納させて状態では、窓穴４９がその液晶モニター部１０によって閉塞されることになり、これらの窓穴４９、４８からカメラ本体２の内部やカード型記録再生装置１４の内部にダスト等が侵入されることを防止することができる。
一方、図７に示すように、液晶モニター部１０を凹所５０内から矢印ｇ方向に開いて使用するような通常の使用状態では、その液晶モニター部１０を矢印ｇ方向に開いて凹所５０を開放すれば、窓穴４９も開放されるので、カード型記録再生装置１４内にカード型記録媒体１３が装着されているか、否かをこれらの窓穴４９、４８を通してカメラ本体２の外部から容易に確認することができる。
従って、カード型記録媒体１３をカード型記録再生装置１４内に装着し忘れたことに気付かずに、撮影画像の静止画データ等をカード型記録媒体１３に記録しようとしてしまうような、記録ミスを極力防止することができるので、非常に使い易いものである。なお、窓穴４９は透明な合成樹脂板等で予め密封して置くことができる。また、カメラ本体２の凹所５の一部に更に一段右方向へ凹ませた小さい凹所を形成して、その小さい凹所内にカード型記録再生装置１４を組み込むようにしてそのカード型記録再生装置１４の窓穴４８を凹所５０内に直に露呈させるようのに構成することも可能である。
【００３４】
なお、このビデオカメラレコーダ１のカメラ本体２には、以上述べた構造の他にも通常のビデオカメラレコーダと同様の各種の構造が付設されている。そこで、幾つかの構造を説明すると、例えば、カメラ本体２の上面２ｅには内蔵ステレオマイク６１やインテリジェントアクセサリーシュー６２等が付設されていて、カメラ本体２の底面２ｆには三脚取付穴６３等が付設されている。また、カメラ本体２の右側面２ａの前端部の下端側の位置とカセットカバー８の右側面８ａの後端部の上端側の位置との間にはグリップベルト６４が斜めに付設されていて、カセットカバー８の後面８ｃの上端側の位置にはビデオスタート／ストップボタン６５が付設されている。また、カメラ本体２の右側面２ａの撮影部４の周辺部にはズームレバー６６などのフォーカス系の操作ボタンが付設されていて、カセットカバー８の後面８ｃにはビデオ操作ボタン６７が付設されている。そして、カメラ本体２の左側面２ｂに形成されている凹所５０の底面部には液晶モニター部１０の液晶画面１０ａに表示するモニター画像やその他の各種の表示の操作系やカード型記録再生装置１４による静止画データ等の記録、再生のための操作系等の操作ボタン６８が付設されている。
【００３５】
そして、ユーザーはカメラ本体２のグリップベルト６４の内側に右手を挿入してカメラ本体２をその右手で縦形に保持し、ビューファインダー部５や図７のように開いた液晶モニター部１０の液晶画面１０ａに表示されるモニター画像を見ながら、ビデオスタート／ストップボタン６５を右手の親指で操作するようにして、ビデオ撮影を行う。そして、その撮影画像の動画等をメカデッキ部６のビデオカセット７内のビデオテープに記録する。そして、ビデオテープに記録した撮影画像をビデオ撮影後等において液晶モニター部１０の液晶画面１０ａで再生しながら、希望する静止画データ等をカード型記録再生装置１４でカード型記録媒体１３に記録することができるようにしたものである。なを、カード型記録媒体１３に記録した静止画データも液晶画面１０ａで再生することができる。
【００３６】
以上、本発明の実施の形態について説明したが、本発明は上記した実施の形態に限定されることなく、本発明の技術的思想に基づいて各種の変更が可能である。例えば、上記した実施の形態ではメカデッキ部６で撮影画像を記録、再生する主記録媒体としてテープ状記録媒体であるビデオテープ使用したが、この主記録媒体は光ディスク等のディスク状記録媒体であっても良い。
【００３７】
【発明の効果】
以上のように構成された本発明のビデオカメラは、次のような効果を奏する。
【００３８】
請求項１は、モニター部をカメラ本体にヒンジ機構によって開閉自在に取り付けたビデオカメラにおいて、モニター部の開閉を検出してモニター画面のＯＮ−ＯＦＦを行うモニター部開閉検出スイッチをそのモニター部のヒンジ機構に内蔵し、そのヒンジ機構の内部に挿通されてモニター部とカメラ本体内部の制御部との間を電気的に接続する接続手段をそのヒンジ機構に回転自在に取り付けた目隠し部材で覆うと共に、モニター部の開閉時に、そのモニター部で目隠し部材を回転駆動して、その目隠し部材でモニター部開閉検出スイッチをＯＮ−ＯＦＦ操作するようにしたので、接続手段が外部から見えず、外観上の美観を著しく向上することができる上に、その目隠し部材でモニター部開閉検出スイッチの動作部材を兼用させることができて、部品点数及び組立工数の削減によるコストダウンを実現することができる。
【図面の簡単な説明】
【図１】本発明を適用したビデオカメラレコーダの実施の形態における液晶モニター部の２軸ヒンジ機構とモニター部開閉検出スイッチの動作機構を説明する液晶モニター部の閉状態での一部切欠き概略平面図である。
【図２】同上の液晶モニター部の開状態での一部切欠概略平面図である。
【図３】図１の２軸ヒンジ機構を拡大して示した一部切欠き平面図である。
【図４】同上の２軸ヒンジ機構を示した斜視図である。
【図５】同上の２軸ヒンジ機構の外部がカメラ本体のカバー部材で覆われているようすを液晶モニター部を開いた状態で、その液晶モニター部の液晶画面側から見た状態で示した斜視図である。
【図６】同上の２軸ヒンジ機構の外部がカメラ本体のカバー部材で覆われているようすを液晶モニター部を閉じた状態で、その液晶モニター部の液晶画面側から見た状態で示した斜視図である。
【図７】同上のビデオカメラレコーダ全体を説明するために液晶モニター部を開いた状態で左斜め後方から見たビデオカメラレコーダ全体の斜視図である。
【図８】同上のビデオカメラレコーダを右斜め後方から見たビデオカメラレコーダ全体の斜視図である。
【図９】同上のビデオカメラレコーダを左斜め前方から見たビデオカメラレコーダ全体の斜視図である。
【図１０】同上のビデオカメラレコーダのカセットカバー側を下にした状態のビデオカメラレコーダ全体の斜視図である。
【図１１】同上のビデオカメラレコーダ全体のの背面図である。
【図１２】同上のビデオカメラレコーダのビデオカセットの脱着操作を説明する斜視図である。
【図１３】同上のビデオカメラレコーダのカメラ本体の内部構造を概略的に示した分解斜視図である。
【図１４】同上のビデオカメラレコーダのカード型記録再生装置を説明する左側面図及び背面図である。
【図１５】従来のビデオカメラレコーダのモニター部開閉検出スイッチの動作構造を説明する一部切欠き平面図である。
【符号の説明】
１はビデオカメラであるビデオカメラレコーダ、２はカメラ本体、９は制御部、１０はモニター部である液晶モニター部、１０ａはモニター画面である液晶画面、２５はヒンジ機構である２軸ヒンジ機構、７５はハーネス、７６は内部空間、７６はハーネスカバーで開閉される内側開口、７７はモニター部開閉検出スイッチ、７９はハーネスカバー、８０は支点ピン、８１は回転付勢手段である捩りコイルバネである。
【図１】
0004300640.tif 000002
【図２】
0004300640.tif 000003
【図３】
0004300640.tif 000004
【図４】
0004300640.tif 000005
【図５】
0004300640.tif 000006
【図６】
0004300640.tif 000007
【図７】
0004300640.tif 000008
【図８】
0004300640.tif 000009
【図９】
0004300640.tif 000010
【図１０】
0004300640.tif 000011
【図１１】
0004300640.tif 000012
【図１２】
0004300640.tif 000013
【図１３】
0004300640.tif 000014
【図１４】
0004300640.tif 000015
【図１５】
0004300640.tif 000016